(57)【要約】【課題】推奨視聴位置を確認するための操作等を行うことなく極めて容易に推奨視聴位置を指示することができるようにする。【解決手段】推奨視聴位置を確認するための操作等を行うことなく、選局されたテレビジョン放送がたとえばＨＤ（ハイビジョン）であるとき、制御部１５によりマーク駆動部１３が制御されて視聴者に推奨視聴位置を示すマーク７が点灯され、さらにそのマーク７が、映像及び音声の推奨視聴位置Ａで見えるようにガイド穴６によってガイドされるようにした。【選択図】図２
2008028743.tif 000002
【特許請求の範囲】
【請求項１】
テレビジョン受像機で推奨する推奨視聴位置を視聴者に指示する推奨視聴位置指示装置であって、
視聴者に前記推奨視聴位置を示す指標手段と、
該指標手段が前記推奨視聴位置で見えるようにガイドするガイド手段とを備える
ことを特徴とする推奨視聴位置指示装置。
【請求項２】
前記推奨視聴位置は、映像に関する推奨視聴位置及び／又は音声に関する推奨視聴位置であり、
前記ガイド手段は、前記テレビジョン受像機の表示部の幅方向に所定の間隔をおいて左右に設けられ、前記推奨視聴位置で前記指標手段が見えるように傾きが調整されたガイド穴である
ことを特徴とする請求項１に記載の推奨視聴位置指示装置。
【請求項３】
第１の映像に関する推奨視聴位置を含む第１の視聴位置と、
前記第１の映像とは少なくとも走査線数の異なる第２の映像に関する推奨視聴位置を含む第２の視聴位置とを有し、
前記ガイド手段は、
前記テレビジョン受像機の表示部の幅方向に所定の間隔をおいて左右に設けられ、前記第１の視聴位置で前記指標手段が見えるように傾きが調整された第１のガイド穴と、
該第１のガイド穴の近傍に設けられ、前記第２の視聴位置で前記指標手段が見えるように傾きが調整された第２のガイド穴とからなる
ことを特徴とする請求項１又は２に記載の推奨視聴位置指示装置。
【請求項４】
前記指標手段は、前記第１のガイド穴と前記第２のガイド穴に対応するそれぞれのマークの形状、もしくは、色が異なることを特徴とする請求項３に記載の推奨視聴位置指示装置。
【請求項５】
前記音声に関する推奨視聴位置は、入力される音声が少なくとも５．１ｃｈによるサラウンド音声を２ｃｈに変換するバーチャル処理による視聴位置であることを特徴とする請求項１〜４のいずれかに記載の推奨視聴位置指示装置。
【請求項６】
前記指標手段は、点灯可能なマークであり、
前記マークの点灯をオン／オフする制御手段を有する
ことを特徴とする請求項１〜５のいずれかに記載の推奨視聴位置指示装置。
【請求項７】
前記制御手段は、映像又は音声に付加されている入力データに基づいて前記マークの点灯をオン／オフすることを特徴とする請求項６に記載の推奨視聴位置指示装置。
【請求項８】
前記制御手段は、少なくとも前記付加されている入力データの走査線数のデータに基づいて前記マークの点灯をオン／オフすることを特徴とする請求項６又は７に記載の推奨視聴位置指示装置。
【請求項９】
前記制御手段は、少なくとも前記付加されている入力データのジャンルのデータに基づいて前記マークの点灯をオン／オフすることを特徴とする請求項６〜８のいずれかに記載の推奨視聴位置指示装置。
【請求項１０】
前記制御手段は、少なくとも前記付加されている入力データの音声のチャンネル数のデータに基づいて前記マークの点灯をオン／オフすることを特徴とする請求項６〜９のいずれかに記載の推奨視聴位置指示装置。
【請求項１１】
前記制御手段は、少なくとも外部からの前記サラウンドのバーチャル処理のオン／オフに応じて前記マークの点灯をオン／オフすることを特徴とする請求項６〜１０のいずれかに記載の推奨視聴位置指示装置。
【請求項１２】
前記制御手段は、前記マークの点灯をオンした後、所定時間経過後に前記マークの点灯をオフすることを特徴とする請求項６〜１１のいずれかに記載の推奨視聴位置指示装置。
【請求項１３】
請求項１〜１２のいずれかに記載の推奨視聴位置指示装置を備えることを特徴とするテレビジョン受像機。
【請求項１４】
テレビジョン受像機で推奨する推奨視聴位置を視聴者に指示する推奨視聴位置指示方法であって、
ガイド手段により、視聴者に前記推奨視聴位置を示す指標手段が前記推奨視聴位置で見えるようにガイドする
ことを特徴とする推奨視聴位置指示方法。
【請求項１５】
前記推奨視聴位置は、映像に関する推奨視聴位置及び／又は音声に関する推奨視聴位置であり、
前記ガイド手段は、前記テレビジョン受像機の表示部の幅方向に所定の間隔をおいて左右に設けられ、前記推奨視聴位置で前記指標手段が見えるように傾きが調整されたガイド穴である
ことを特徴とする請求項１４に記載の推奨視聴位置指示方法。
【請求項１６】
第１の映像に関する推奨視聴位置を含む第１の視聴位置と、
前記第１の映像とは少なくとも走査線数の異なる第２の映像に関する推奨視聴位置を含む第２の視聴位置とを有し、
前記ガイド手段は、
前記テレビジョン受像機の表示部の幅方向に所定の間隔をおいて左右に設けられ、前記第１の視聴位置で前記指標手段が見えるように傾きが調整された第１のガイド穴と、
該第１のガイド穴の近傍に設けられ、前記第２の視聴位置で前記指標手段が見えるように傾きが調整された第２のガイド穴とからなる
ことを特徴とする請求項１４又は１５に記載の推奨視聴位置指示方法。
【請求項１７】
前記指標手段は、前記第１のガイド穴と前記第２のガイド穴に対応するそれぞれのマークの形状、もしくは、色が異なることを特徴とする請求項１６に記載の推奨視聴位置指示方法。
【請求項１８】
前記音声に関する推奨視聴位置は、入力される音声が少なくとも５．１ｃｈによるサラウンド音声を２ｃｈに変換するバーチャル処理による視聴位置であることを特徴とする請求項１４〜１７のいずれかに記載の推奨視聴位置指示方法。
【請求項１９】
前記指標手段は、点灯可能なマークであり、
制御手段により、前記マークの点灯がオン／オフされる
ことを特徴とする請求項１４〜１８のいずれかに記載の推奨視聴位置指示方法。
【請求項２０】
前記制御手段は、映像又は音声に付加されている入力データに基づいて前記マークの点灯をオン／オフすることを特徴とする請求項１９に記載の推奨視聴位置指示方法。
【請求項２１】
前記制御手段は、少なくとも前記付加されている入力データの走査線数のデータに基づいて前記マークの点灯をオン／オフすることを特徴とする請求項１９又は２０に記載の推奨視聴位置指示方法。
【請求項２２】
前記制御手段は、少なくとも前記付加されている入力データのジャンルのデータに基づいて前記マークの点灯をオン／オフすることを特徴とする請求項１９〜２１のいずれかに記載の推奨視聴位置指示方法。
【請求項２３】
前記制御手段は、少なくとも前記付加されている入力データの音声のチャンネル数のデータに基づいて前記マークの点灯をオン／オフすることを特徴とする請求項１９〜２２のいずれかに記載の推奨視聴位置指示方法。
【請求項２４】
前記制御手段は、少なくとも外部からの前記サラウンドのバーチャル処理のオン／オフに応じて前記マークの点灯をオン／オフすることを特徴とする請求項１９〜２３のいずれかに記載の推奨視聴位置指示方法。
【請求項２５】
前記制御手段は、前記マークの点灯をオンした後、所定時間経過後に前記マークの点灯をオフすることを特徴とする請求項１９〜２４のいずれかに記載の推奨視聴位置指示方法。
【発明の詳細な説明】
【技術分野】
【０００１】
本発明は、テレビジョン受像機で推奨される映像及び音声の推奨視聴位置を視聴者に指示する推奨視聴位置指示装置、テレビジョン受像機、推奨視聴位置指示方法に関する。
【背景技術】
【０００２】
テレビジョン受像機を使用してテレビジョン放送等を視聴する場合、テレビジョン受像機で推奨される視聴に好適な距離がある。一般に、ＮＴＳＣ標準方式のテレビでは画面の高さの６〜７倍（６〜７Ｈ）であり、ハイビジョン方式のテレビでは画面の高さの約３倍（約３Ｈ）程度の距離が視聴に好適距離として推奨されている。
【０００３】
これは、走査線の粗さや画面の解像度などを勘案し、評価実験を元に最も見易い距離が決められたものである。このような視聴に好適な距離を中心にし、その距離よりも極端に大きな距離では画像の詳細部分が見えず、その距離よりも極端に小さい距離では走査線構造そのものが見えて画像に妨害を与え、見難い上、画像が近すぎて目に悪影響を及ぼす等の不具合がある。
【０００４】
また、音声に関する好適なポジションは、通常のモノラル音声やステレオ音声では広さにおいてあまり問題にならないが、たとえば５．１ｃｈなどのサラウンド音声を２ｃｈスピーカで再現するバーチャルサラウンドを実現する場合、頭部伝達関数やクロストークキャンセルを用いることで、一般に好適なポジションは狭く、特に２つのＳＰに並行な方向では狭いものとなっている。また、そのアルゴリズムや音場を制御するパラメータに依存する上、感じるバーチャル感には個人差もあるため、推奨する視聴位置はメーカが個別に判断して決めることが望ましいと考えられている。
【０００５】
視聴に好適な距離を指示するものとして、特許文献１では、テレビ放送等の画像を再現するテレビ受像部と、リモコンと、複数の受光窓毎に設けた光の入射角度を計測する角度検出部と、受光窓相互の設置距離を記憶するとともに所要の数式を記憶する記憶部と、検出した角度データ及び、記憶部に記憶しているセンサ間距離に基づき視聴距離を計算する演算部と、計算した視聴距離と予め設定した基準値とに基づき適切な視聴距離か否かの判定を行う判定部と、判定結果に基づき案内を表示する表示部と、案内をオンスクリーン表示するためのオンスクリーン処理部を備えたテレビジョン受像機を提案している。
【特許文献１】特開平０９−９３４５８号公報
【発明の開示】
【発明が解決しようとする課題】
【０００６】
このように、上述した特許文献１では、テレビ受像部側のリモコン受信部がリモコンからのたとえば電源ＯＮのリモコン信号を受信すると、リモコンとリモコン受信部間の視聴距離が計算され、視聴距離が適切か否かの案内が表示部に表示される。
【０００７】
ところが、特許文献１に示されたものでは、リモコン信号を送信するリモコンの位置を基準にして視聴距離が適切であるか否かの案内が表示されるため、視聴位置が適切で無い場合は何度もリモコンを操作して表示される案内を確認しなければならないという問題があった。
【０００８】
本発明は、このような状況に鑑みてなされたものであり、上記問題点を解決することができる推奨視聴位置指示装置、テレビジョン受像機、推奨視聴位置指示方法を提供することを目的とする。
【課題を解決するための手段】
【０００９】
本発明の推奨視聴位置指示装置は、テレビジョン受像機で推奨する推奨視聴位置を視聴者に指示する推奨視聴位置指示装置であって、視聴者に前記推奨視聴位置を示す指標手段と、該指標手段が前記推奨視聴位置で見えるようにガイドするガイド手段とを備えることを特徴とする。
また、前記推奨視聴位置は、映像に関する推奨視聴位置及び／又は音声に関する推奨視聴位置であり、前記ガイド手段は、前記テレビジョン受像機の表示部の幅方向に所定の間隔をおいて左右に設けられ、前記推奨視聴位置で前記指標手段が見えるように傾きが調整されたガイド穴であるようにすることができる。
また、第１の映像に関する推奨視聴位置を含む第１の視聴位置と、前記第１の映像とは少なくとも走査線数の異なる第２の映像に関する推奨視聴位置を含む第２の視聴位置とを有し、前記ガイド手段は、前記テレビジョン受像機の表示部の幅方向に所定の間隔をおいて左右に設けられ、前記第１の視聴位置で前記指標手段が見えるように傾きが調整された第１のガイド穴と、該第１のガイド穴の近傍に設けられ、前記第２の視聴位置で前記指標手段が見えるように傾きが調整された第２のガイド穴とからなるようにすることができる。
また、前記指標手段は、前記第１のガイド穴と前記第２のガイド穴に対応するそれぞれのマークの形状、もしくは、色が異なるようにすることができる。
また、前記音声に関する推奨視聴位置は、入力される音声が少なくとも５．１ｃｈによるサラウンド音声を２ｃｈに変換するバーチャル処理による視聴位置であるようにすることができる。
また、前記指標手段は、点灯可能なマークであり、前記マークの点灯をオン／オフする制御手段を有するようにすることができる。
また、前記制御手段は、映像又は音声に付加されている入力データに基づいて前記マークの点灯をオン／オフするようにすることができる。
また、前記制御手段は、少なくとも前記付加されている入力データの走査線数のデータに基づいて前記マークの点灯をオン／オフするようにすることができる。
また、前記制御手段は、少なくとも前記付加されている入力データのジャンルのデータに基づいて前記マークの点灯をオン／オフするようにすることができる。
また、前記制御手段は、少なくとも前記付加されている入力データの音声のチャンネル数のデータに基づいて前記マークの点灯をオン／オフするようにすることができる。
また、前記制御手段は、少なくとも外部からの前記サラウンドのバーチャル処理のオン／オフに応じて前記マークの点灯をオン／オフするようにすることができる。
また、前記制御手段は、前記マークの点灯をオンした後、所定時間経過後に前記マークの点灯をオフするようにすることができる。
本発明のテレビジョン受像機は、請求項１〜１２のいずれかに記載の推奨視聴位置指示装置を備えることを特徴とする。
本発明の推奨視聴位置指示方法は、テレビジョン受像機で推奨する推奨視聴位置を視聴者に指示する推奨視聴位置指示方法であって、ガイド手段により、視聴者に前記推奨視聴位置を示す指標手段が前記推奨視聴位置で見えるようにガイドすることを特徴とする。
また、前記推奨視聴位置は、映像に関する推奨視聴位置及び／又は音声に関する推奨視聴位置であり、前記ガイド手段は、前記テレビジョン受像機の表示部の幅方向に所定の間隔をおいて左右に設けられ、前記推奨視聴位置で前記指標手段が見えるように傾きが調整されたガイド穴であるようにすることができる。
また、第１の映像に関する推奨視聴位置を含む第１の視聴位置と、前記第１の映像とは少なくとも走査線数の異なる第２の映像に関する推奨視聴位置を含む第２の視聴位置とを有し、前記ガイド手段は、前記テレビジョン受像機の表示部の幅方向に所定の間隔をおいて左右に設けられ、前記第１の視聴位置で前記指標手段が見えるように傾きが調整された第１のガイド穴と、該第１のガイド穴の近傍に設けられ、前記第２の視聴位置で前記指標手段が見えるように傾きが調整された第２のガイド穴とからなるようにすることができる。
また、前記指標手段は、前記第１のガイド穴と前記第２のガイド穴に対応するそれぞれのマークの形状、もしくは、色が異なるようにすることができる。
また、前記音声に関する推奨視聴位置は、入力される音声が少なくとも５．１ｃｈによるサラウンド音声を２ｃｈに変換するバーチャル処理による視聴位置であるようにすることができる。
また、前記指標手段は、点灯可能なマークであり、制御手段により、前記マークの点灯がオン／オフされるようにすることができる。
また、前記制御手段は、映像又は音声に付加されている入力データに基づいて前記マークの点灯をオン／オフするようにすることができる。
また、前記制御手段は、少なくとも前記付加されている入力データの走査線数のデータに基づいて前記マークの点灯をオン／オフするようにすることができる。
また、前記制御手段は、少なくとも前記付加されている入力データのジャンルのデータに基づいて前記マークの点灯をオン／オフするようにすることができる。
また、前記制御手段は、少なくとも前記付加されている入力データの音声のチャンネル数のデータに基づいて前記マークの点灯をオン／オフするようにすることができる。
また、前記制御手段は、少なくとも外部からの前記サラウンドのバーチャル処理のオン／オフに応じて前記マークの点灯をオン／オフするようにすることができる。
また、前記制御手段は、前記マークの点灯をオンした後、所定時間経過後に前記マークの点灯をオフするようにすることができる。
本発明の推奨視聴位置指示装置、テレビジョン受像機、推奨視聴位置指示方法では、ガイド手段により、視聴者に推奨視聴位置を示す指標手段が推奨視聴位置で見えるようにガイドされる。
【発明の効果】
【００１０】
本発明の推奨視聴位置指示装置、テレビジョン受像機、推奨視聴位置指示方法によれば、視聴者に推奨視聴位置を示す指標手段が、その推奨視聴位置で見えるようにガイド手段によってガイドされるようにしたので、推奨視聴位置を確認するための操作等を行うことなく極めて容易に推奨視聴位置を指示することができる。
【発明を実施するための最良の形態】
【００１１】
本実施形態では、視聴者に推奨視聴位置を示す指標手段が、その推奨視聴位置で見えるようにガイド手段によってガイドされるようにし、推奨視聴位置を確認するための操作等を行うことなく極めて容易に推奨視聴位置を指示するようにした。
【実施例】
【００１２】
以下、本発明の実施例の詳細について説明する。
【００１３】
（実施例１）
図１は、本発明の実施例１に係る推奨視聴位置指示装置が適用されるテレビジョン受像機を示す図である。
【００１４】
同図に示すテレビジョン受像機１は、表示部２と、スピーカ３と、推奨視聴位置指示装置４とを有している。
【００１５】
表示部２は、映像を表示する。表示される映像には、たとえばテレビジョン放送のＨＤ（ハイビジョン）やＳＤ（現行ＮＴＳＣ）等がある。スピーカ３は、音声を出力するものである。
【００１６】
推奨視聴位置指示装置４は、たとえばテレビジョン受像機１で推奨される映像及び音声の第１の視聴位置である後述の推奨視聴位置Ａを視聴者に指示するものである。推奨視聴位置指示装置４の装置本体５には、後述のマーク７をその推奨視聴位置Ａで見えるようにガイドするガイド手段としてのガイド穴６が設けられている。すなわち、視聴者がテレビジョン受像機１の正面で後述のマーク７が見える位置に移動すれば、その位置が映像及び音声の推奨視聴位置となる。
【００１７】
図２は、図１のテレビジョン受像機１を上方から見た場合を示す図である。同図に示すように、テレビジョン受像機１は、表示部２、スピーカ３、推奨視聴位置指示装置４を制御する制御系１０を備えている。制御系１０は、リモコン受光部１１、表示駆動部１２、マーク駆動部１３、スピーカ駆動部１４、制御部１５を有している。
【００１８】
スピーカ駆動部１４は、制御部１５の制御によりスピーカ３を駆動する。スピーカ３の駆動に際しては、たとえば５．１ｃｈにおけるサラウンド再生、左右２チャンネルでのステレオ再生、左右に同じ音声信号を再生するモノラル再生等のいずれかとすることができる。５．１ｃｈにおけるサラウンド再生は、たとえば２本のフロントスピーカだけで、５．１ｃｈのサラウンド音場を再現するサラウンドのバーチャル処理を施すことである。
【００１９】
リモコン受光部１１は、図示しないリモコンからの選局指示等のリモコン信号を受け取る。表示駆動部１２は、制御部１５の制御により、表示部２に選局されたテレビジョン放送の映像を表示させる。ここで、テレビジョン放送には、第１の映像としてのＨＤ（ハイビジョン）放送と第２の映像としてのＳＤ（現行ＮＴＳＣ）放送とがあり、いずれかが表示部２に表示される。
【００２０】
マーク駆動部１３は、制御部１５の制御によりマーク７を点灯又は消灯させる。ここで、指標手段としてのマーク７は、推奨視聴位置指示装置４の装置本体５のガイド穴６の奧に配置されており、たとえばＬＥＤ等の発光素子で星形に形成されている。なお、マーク７にあっては、星形に限らず、視聴者に対して形状が認識できればよく、丸、四角、菱形等の他の形状であってもよいし、任意のキャラクター等であってもよい。
【００２１】
また、装置本体５のガイド穴６は、表示部２の幅方向に所定の間隔をおいて左右に設けられている。本実施例では、表示部２のサイズがたとえば４５インチの場合、これらのガイド穴６の間隔をたとえば１ｍ程度としている。
【００２２】
また、これらのガイド穴６は、水平方向において、互いに表示部２の中心方向に向くように傾けられている。また、これらのガイド穴６の傾きは、映像及び音声の推奨視聴位置Ａで装置本体５のガイド穴６を通しマーク７が見えるように調整されている。
【００２３】
すなわち、映像に関する好適なポジションは、近すぎると表示部２の画素が見え、遠すぎると映像の臨場感が弱くなることを考慮して決定されるものである。また、映像に関する好適なポジションは、ＨＤ（ハイビジョン）放送の映像とＳＤ（現行ＮＴＳＣ）放送の映像とで異なる。
【００２４】
本実施例では、表示部２のサイズがたとえば４５インチであり、表示部２に表示されるテレビジョン放送がＨＤ（ハイビジョン）放送の場合に、画角がたとえば３３°となるポジション（３Ｈに相当）を映像に関する好適なポジションとしている。また、その画角は、表示部２からたとえば１．６８ｍ程度離れた位置で得られる。
【００２５】
また、音声に関する好適なポジションは、バーチャルサラウンド音場を制御するパラメータに依存する。たとえば一例として、画面中央から２．５ｍの位置が好適であり、１．５ｍ〜３．５ｍの間が効果がある範囲とする。また横方向には画面中央を中止に±２５ｃｍの範囲が効果がある範囲とする。
【００２６】
この場合、図中の波線で囲んだ部分を映像及び音声に関する推奨視聴位置Ａとし、この映像及び音声に関する推奨視聴位置Ａで左右のマーク７が視聴者に見えるように、左右のガイド穴６の傾きが調整されている。
【００２７】
また、その映像及び音声の推奨視聴位置Ａは、テレビジョン受像機１の表示部２及びスピーカ３のサイズや形状等、および、スピーカ駆動部１４のバーチャルサラウンド処理方法によって異なるものであり、適宜決定されるようにする。
【００２８】
制御手段としての制御部１５は、所定の制御プログラム等に基づいて各部の動作を制御する。制御部１５による主な制御としては、表示駆動部１２に対し、表示部２に選局されたテレビジョン放送の映像を表示させることである。また、制御部１５による主な制御としては、マーク駆動部１３に対し、マーク７を点灯又は消灯させることである。また、制御部１５による主な制御としては、スピーカ駆動部１４に対し、スピーカ３にたとえば５．１ｃｈにおけるサラウンド再生を行わせることである。
【００２９】
すなわち、制御部１５により、ＥＰＧ（電子番組表）情報のメタデータに基づき、選局されたテレビジョン放送がＨＤ（ハイビジョン）であるかＳＤ（現行ＮＴＳＣ）であるかの判別と、音声モードがサラウンド再生であるかどうかの判別とが行われる。ここで、選局されたテレビジョン放送がＨＤ（ハイビジョン）であるかＳＤ（現行ＮＴＳＣ）であるかは、ＥＰＧ（電子番組表）情報のメタデータに含まれる走査線数によって判別することが可能である。
【００３０】
すなわち、たとえば走査線が７２０ｐ（プログレッシブの場合）以上もしくは１０８０ｉ（インターレースの場合）以上の場合にＨＤ（ハイビジョン）であると判別し、それ以外はＳＤ（現行ＮＴＳＣ）であると判別することができる。
【００３１】
また、音声モードがサラウンド再生であるかどうかは、ＥＰＧ（電子番組表）情報のメタデータに含まれるチャンネル数によって判別することが可能である。
【００３２】
よって、制御部１５は、選局されたテレビジョン放送がＨＤ（ハイビジョン）であり、かつ、音声モードがサラウンド再生である場合のときにマーク７を点灯させるように制御することができる。
【００３３】
また、制御部１５により、選局されたテレビジョン放送がＨＤ（ハイビジョン）からＳＤ（現行ＮＴＳＣ）に切り替わったことが判別されると、点灯中のマーク７を消灯させるように制御することも可能である。
【００３４】
なお、マーク７の点灯／消灯は、ＥＰＧ（電子番組表）情報のメタデータに含まれる走査線数に限らず、そのメタデータに含まれるジャンル情報にも応じて行うようにしてもよい。つまり、選局されたテレビジョン放送がＨＤ（ハイビジョン）であり、かつ、音声モードがサラウンド再生であり、かつ、そのジャンル情報がたとえば映画である場合にマーク７を点灯させ、そのジャンル情報がニュースである場合にはマーク７を消灯させるようなことである。
【００３５】
また、制御部１５により、リモコン操作によってバーチャルサラウンド処理がＯＮからＯＦＦに切り替えられたとき、点灯中のマーク７を消灯させるように制御することも可能である。
【００３６】
また、制御部１５により、リモコン操作によってバーチャルサラウンド処理がＯＦＦからＯＮに切り替えられたとき、消灯中のマーク７を点灯させるように制御することも可能である。
【００３７】
また、制御部１５により、マーク７が点灯された後、所定時間が経過したら点灯中のマーク７を消灯させるように制御することも可能である。この場合、制御部１５に内部タイマーを設けておいて、マーク７が点灯されて所定時間が経過するまでカウントが行われるようにすればよい。また、リモコン操作により、強制的にマーク７を消灯させるかどうかの制御を行ってもよい。
【００３８】
次に、推奨視聴位置指示装置４による推奨視聴位置指示方法について説明する。まず、図３に示すように、リモコン受光部１１により、図示しないリモコンから選局指示のリモコン信号が受け取られると（ステップＳ１）、制御部１５によりＥＰＧ（電子番組表）情報のメタデータに基づき、選局されたテレビジョン放送がＨＤ（ハイビジョン）であるかどうかの判別が行われる（ステップＳ２）。
【００３９】
このとき、制御部１５により、選局されたテレビジョン放送がＨＤ（ハイビジョン）であると判別されると、表示駆動部１２が制御され、選局されたＨＤ（ハイビジョン）のテレビジョン放送の映像が表示部２に表示される（ステップＳ３）。
【００４０】
このとき、選局されたテレビジョン放送がＨＤ（ハイビジョン）であると判別されることで、制御部１５によりマーク駆動部１３が制御され、マーク７が点灯される（ステップＳ５）。
【００４１】
一方、制御部１５により、選局されたテレビジョン放送がＳＤ（現行ＮＴＳＣ）であると判別されると（ステップＳ２）、表示駆動部１２が制御され、選局されたＳＤ（現行ＮＴＳＣ）のテレビジョン放送の映像が表示部２に表示される（ステップＳ４）。この場合、マーク７は点灯されない。
【００４２】
また、ＥＰＧ（電子番組表）情報のメタデータに基づき、制御部１５によりスピーカ駆動部１４が制御され、選局されたテレビジョン放送の音声のチャンネル数に応じてスピーカ３が駆動される。すなわち、そのチャンネル数が５．１ｃｈ（サラウンド再生）であるか否かが判別され（ステップＳ６）、５．１ｃｈ（サラウンド再生）である場合は、スピーカ３によりサラウンド再生が行われる（ステップＳ７）。
【００４３】
一方、そのチャンネル数が５．１ｃｈ（サラウンド再生）以外、たとえば２ｃｈである場合はスピーカ３によりステレオ再生が行われる（ステップＳ８）。この場合、マーク７は消灯される（ステップＳ９）。すなわち、選局されたテレビジョン放送がＨＤ（ハイビジョン）で、かつ、音声のチャンネル数が５．１ｃｈであるとき、視聴者に推奨視聴位置を示すマーク７を点灯する。
【００４４】
ここで、視聴者は、マーク７が点灯しているとき、テレビジョン受像機１の表示部２の表面側で、左右のマーク７が見える位置に移動することにより、映像及び音声の推奨視聴位置Ａであることを確認することができる。
【００４５】
このように、実施例１では、選局されたテレビジョン放送がＨＤ（ハイビジョン）で、かつ、音声のチャンネル数が５．１ｃｈであるとき、視聴者に推奨視聴位置を示すマーク７が点灯され、さらにそのマーク７が、映像及び音声の推奨視聴位置Ａで見えるようにガイド穴６によってガイドされるようにしたので、推奨視聴位置を確認するための操作等を行うことなく極めて容易に推奨視聴位置を指示することができる。
【００４６】
なお、実施例１では、映像及び音声の推奨視聴位置Ａを、左右のマーク７によって指示する場合について説明したが、この例に限らず、図４に示すように、推奨視聴位置指示装置４の装置本体５の中央に表示部２の中心線に沿ったガイド穴６ａを設け、そのガイド穴６ａの奧にマーク７ａが設けられるようにしてもよい。
【００４７】
この場合、左右のマーク７と中央のマーク７ａとが見える位置を推奨視聴位置Ａとすることができ、図２の波線で囲った領域が狭められることで、左右の範囲に関してさらに詳細な推奨視聴位置が指示されることになる。また、ガイド穴６ａとマーク７ａだけを用いて、左右方向の範囲だけを示してもよい。
【００４８】
また、実施例１では、推奨視聴位置Ａを、映像に関する推奨視聴位置と、音声に関する推奨視聴位置とを含めたものとしたが、音声のみ、および、画像のみの推奨視聴位置としてもよい。
【００４９】
また、実施例１では、ガイド穴６及びマーク７を装置本体５に設けた場合について説明したが、この例に限らず、ガイド穴６及びマーク７をたとえばスピーカ３の部分に設けてもよい。
【００５０】
（実施例２）
図５は、図１の推奨視聴位置指示装置４の構成を変えた場合の実施例２を説明するための図である。なお、以下に説明する図において、図１と共通する部分には同一符号を付し重複する説明を適宜行うものとする。
【００５１】
実施例２では、図５に示すように、推奨視聴位置指示装置４Ａの装置本体５Ａに、上述した左右の第１のガイド穴としてのガイド穴６に加え、左右の第２のガイド穴としてのガイド穴６ｂが設けられている点で、実施例１とは異なってる。
【００５２】
ここで、左右のガイド穴６は選局されたテレビジョン放送が第１の映像としてのＨＤ（ハイビジョン）である場合に対応させたものであり、左右のガイド穴６ｂは選局されたテレビジョン放送が第２の映像としてのＳＤ（現行ＮＴＳＣ）である場合に対応させたものである。なお、これらのガイド穴６，６ｂの奧には、後述のマーク７，７ｂが設けられている。
【００５３】
図６は、図５のテレビジョン受像機１を上方から見た場合を示す図である。同図に示すように、テレビジョン受像機１は、表示部２、スピーカ３、推奨視聴位置指示装置４Ａを制御する制御系１０を備えている。制御系１０は、リモコン受光部１１、表示駆動部１２、マーク駆動部１３、スピーカ駆動部１４、制御部１５Ａを有している。
【００５４】
制御系１０の構成は、実施例１とほぼ共通するものであるが、実施例２での制御部１５Ａは、たとえばテレビジョン放送がＨＤ（ハイビジョン）である場合とＳＤ（現行ＮＴＳＣ）である場合とで、後述の異なるマーク７，７ｂのいずれか一方を点灯又は消灯するように制御する点で、実施例１とは異なっている。
【００５５】
すなわち、推奨視聴位置指示装置４Ａの装置本体５Ａのガイド穴６，６ｂは、それぞれ表示部２の幅方向に所定の間隔をおいて２個設けられている。なお、これらのガイド穴６，６ｂの間隔は、上述したように、表示部２のサイズがたとえば４５インチではたとえば１ｍ程度である。
【００５６】
また、これらのガイド穴６，６ｂは、水平方向において、上記同様に、互いに表示部２の中心方向に向くように設けられている。ここで、テレビジョン放送がＨＤ（ハイビジョン）である場合に対応させた左右のガイド穴６の傾きと、テレビジョン放送がＳＤ（現行ＮＴＳＣ）である場合に対応させた左右のガイド穴６ｂの傾きとは異なっている。
【００５７】
すなわち、左右のガイド穴６にあっては、上記同様に、画角がたとえば３３°となるポジション（３Ｈに相当）が好適であり（表示部２のサイズがたとえば４５インチである場合、１．６８ｍ程度）、その好適な画角と上述した音声に関する好適なポジションとから設定した波線で示す第１の視聴位置としての推奨視聴位置Ａでマーク７が見えるように調整されている。
【００５８】
また、左右のガイド穴６ｂにあっては、画角がたとえば１７°となるポジション（６Ｈに相当）が好適であり（表示部２のサイズがたとえば４５インチである場合、３．３６ｍ程度）、その好適な画角と上述した音声に関する好適なポジションとから設定した波線で示す第２の視聴位置としての推奨視聴位置Ｂでマーク７ｂが見えるように調整されている。
【００５９】
なお、これら映像及び音声の推奨視聴位置Ａ，Ｂは、上記同様に、テレビジョン受像機１の表示部２及びスピーカ３のサイズや形状等、および、スピーカ駆動部１４のバーチャルサラウンド処理方法によって異なるものであり、適宜決定されるようにする。
【００６０】
そして、制御部１５Ａにより、ＥＰＧ（電子番組表）情報のメタデータに基づき、選局されたテレビジョン放送がＨＤ（ハイビジョン）であるか、ＳＤ（現行ＮＴＳＣ）であるか、さらには音声モードがサラウンド再生かどうかなどが判別され、音声モードがサラウンド再生である場合に限り、ＨＤ（ハイビジョン）又はＳＤ（現行ＮＴＳＣ）の判別により、マーク７又はマーク７ｂが点灯される。
【００６１】
なお、制御部１５Ａにより、ＥＰＧ（電子番組表）情報のメタデータに基づき、選局されたテレビジョン放送がＨＤ（ハイビジョン）からＳＤ（現行ＮＴＳＣ）に切り替わったことが判別されると、点灯中のマーク７を消灯させてマーク７ｂを点灯させるように制御することも可能である。
【００６２】
また、制御部１５Ａにより、ＥＰＧ（電子番組表）情報のメタデータに基づき、選局されたテレビジョン放送がＳＤ（現行ＮＴＳＣ）からＨＤ（ハイビジョン）に切り替わったことが判別されると、点灯中のマーク７ｂを消灯させてマーク７を点灯させるように制御することも可能である。
【００６３】
また、制御部１５Ａにより、リモコン操作によってバーチャルサラウンド処理がＯＮからＯＦＦに切り替えられたとき、点灯中のマーク７又はマーク７ｂを消灯させるように制御することも可能である。
【００６４】
また、制御部１５Ａにより、リモコン操作によってバーチャルサラウンド処理がＯＦＦからＯＮに切り替えられたとき、消灯中のマーク７又はマーク７ｂを点灯させるように制御することも可能である。
【００６５】
また、制御部１５Ａにより、マーク７又はマーク７ｂを点灯させた後、所定時間が経過したら点灯中のマーク７又はマーク７ｂを消灯させるように制御することも可能である。また、リモコン操作により、強制的にマーク７又はマーク７ｂを消灯させるかどうかの制御を行ってもよい。
【００６６】
なお、マーク７，７ｂにあっては、視聴者に対して形状が認識できればよく、それぞれ星形のように同じものであってもよいし、それぞれ異なる形状や異なる色であってもよい。また、それらの形状にあっては、上述したように、丸、四角、菱形等の他の形状であってもよいし、任意のキャラクター等であってもよい。
【００６７】
次に、推奨視聴位置指示装置４Ａによる推奨視聴位置指示方法について説明する。まず、図７に示すように、リモコン受光部１１により、図示しないリモコンから選局指示のリモコン信号が受け取られると（ステップＳ１０）、制御部１５ＡによりＥＰＧ（電子番組表）情報のメタデータに基づき、選局されたテレビジョン放送がＨＤ（ハイビジョン）であるかＳＤ（現行ＮＴＳＣ）であるかの判別が行われる（ステップＳ１１）。
【００６８】
ここで、制御部１５Ａにより、選局されたテレビジョン放送がＨＤ（ハイビジョン）であると判別されると、表示駆動部１２が制御され、選局されたＨＤ（ハイビジョン）のテレビジョン放送の映像が表示部２に表示される（ステップＳ１２）。
【００６９】
このとき、選局されたテレビジョン放送がＨＤ（ハイビジョン）であると判別された場合は、制御部１５Ａによりマーク駆動部１３が制御され、ＨＤ（ハイビジョン）に対応したマーク７が点灯される（ステップＳ１３）。
【００７０】
一方、制御部１５Ａにより、選局されたテレビジョン放送がＳＤ（現行ＮＴＳＣ）であると判別されると（ステップＳ１１）、表示駆動部１２が制御され、選局されたＳＤ（現行ＮＴＳＣ）のテレビジョン放送の映像が表示部２に表示される（ステップＳ１４）。
【００７１】
このとき、選局されたテレビジョン放送がＳＤ（現行ＮＴＳＣ）であると判別された場合は、制御部１５Ａによりマーク駆動部１３が制御され、ＳＤ（現行ＮＴＳＣ）に対応したマーク７ｂが点灯される（ステップＳ１５）。
【００７２】
また、ＥＰＧ（電子番組表）情報のメタデータに基づき、制御部１５Ａによりスピーカ駆動部１４が制御され、選局されたテレビジョン放送の音声のチャンネル数に応じてスピーカ３が駆動される。すなわち、そのチャンネル数が５．１ｃｈ（サラウンド再生）であるか否かが判別され（ステップＳ１６）、５．１ｃｈ（サラウンド再生）である場合は、スピーカ３によりサラウンド再生が行われる（ステップＳ１７）。
【００７３】
一方、そのチャンネル数が５．１ｃｈ（サラウンド再生）以外、たとえば２ｃｈである場合はスピーカ３によりステレオ再生が行われる（ステップＳ１８）。この場合、全てのマーク７、７ｂは消灯される（ステップＳ１９）。
【００７４】
ここで、視聴者は、マーク７が点灯しているとき、テレビジョン受像機１の表示部２の表面側で、左右のマーク７が見える位置に移動することにより、ＨＤ（ハイビジョン）における映像及び音声の推奨視聴位置Ａであることを確認することができる。
【００７５】
また、視聴者は、マーク７ｂが点灯しているとき、テレビジョン受像機１の表示部２の表面側で、左右のマーク７ｂが見える位置に移動することにより、ＳＤ（現行ＮＴＳＣ）における映像及び音声の推奨視聴位置Ｂであることを確認することができる。
【００７６】
このように、実施例２では、テレビジョン放送がＨＤ（ハイビジョン）である場合に対応させたガイド穴６及びマーク７と、テレビジョン放送がＳＤ（現行ＮＴＳＣ）である場合に対応させたガイド穴６ｂ及びマーク７ｂとを設け、ＥＰＧ（電子番組表）情報のメタデータに基づき、マーク７又はマーク７ｂを点灯させるようにしたので、ＨＤ（ハイビジョン）又はＳＤ（現行ＮＴＳＣ）に応じた推奨視聴位置である推奨視聴位置Ａ又は推奨視聴位置Ｂを極めて容易に指示することができる。
【００７７】
なお、マーク７，７ｂの点灯／消灯は、ＥＰＧ（電子番組表）情報のメタデータに含まれる走査線数に限らず、上記同様に、そのメタデータに含まれるジャンル情報にも応じて行うようにしてもよい。つまり、選局されたテレビジョン放送の音声モードがサラウンド再生であり、そのジャンル情報がたとえば映画である場合であり、かつ、テレビジョン放送がＨＤ（ハイビジョン）である場合にマーク７を点灯させ、テレビジョン放送がＳＤ（現行ＮＴＳＣ）である場合にマーク７ｂを消灯させるようなことである。
【００７８】
また、実施例２では、映像及び音声の推奨視聴位置Ａ，Ｂを、左右のマーク７，７ｂによって指示する場合について説明したが、上述した図４に示すように、推奨視聴位置指示装置４の装置本体５の中央に表示部２の中心線に沿ったガイド穴６ａを設け、そのガイド穴６ａの奧にマーク７ａが設けられるようにしてもよい。
【００７９】
この場合、左右のマーク７と中央のマーク７ａとが見える位置を推奨視聴位置Ａとし、また左右のマーク７ｂと中央のマーク７ａとが見える位置を推奨視聴位置Ｂとすることができ、図６の波線で囲ったそれぞれの領域が狭められることで、左右の範囲に関してさらに詳細な推奨視聴位置が指示されることになる。
【００８０】
また、実施例２では、推奨視聴位置Ａ，Ｂを、映像に関する推奨視聴位置と、音声に関する推奨視聴位置とを含めたものとしたが、画像のみの推奨視聴位置としてもよい。
【００８１】
また、実施例２では、ガイド穴６，６ｂ及びマーク７，７ｂを装置本体５Ａに設けた場合について説明したが、この例に限らず、上記同様に、ガイド穴６，６ｂ及びマーク７，７ｂをたとえばスピーカ３の部分に設けてもよい。
【図面の簡単な説明】
【００８２】
【図１】本発明の実施例１に係る推奨視聴位置指示装置が適用されるテレビジョン受像機を示す図である。
【図２】図１のテレビジョン受像機１を上方から見た場合を示す図である。
【図３】図１の推奨視聴位置指示装置による推奨視聴位置指示方法について説明するためのフローチャートである。
【図４】図１の推奨視聴位置指示装置の構成を変えた場合の他の実施例を説明するための図である。
【図５】図１の推奨視聴位置指示装置の構成を変えた場合の実施例２を説明するための図である。
【図６】図５のテレビジョン受像機を上方から見た場合を示す図である。
【図７】図５の推奨視聴位置指示装置による推奨視聴位置指示方法について説明するためのフローチャートである。
【符号の説明】
【００８３】
１  テレビジョン受像機
２  表示部
３  スピーカ
４  推奨視聴位置指示装置
４Ａ  推奨視聴位置指示装置
５  装置本体
５Ａ  装置本体
６      ガイド穴（ガイド手段：第１のガイド穴）
６ａ  ガイド穴（ガイド手段）
６ｂ  ガイド穴（ガイド手段：第２のガイド穴）
７，７ａ，７ｂ  マーク（指標手段）
１０  制御系
１１  リモコン受光部
１２  表示駆動部
１３  マーク駆動部
１４  スピーカ駆動部
１５  制御部（制御手段）
１５Ａ  制御部
Ａ  推奨視聴位置（第１の視聴位置）
Ｂ  推奨視聴位置（第２の視聴位置）
【図１】
2008028743.tif 000003
【図２】
2008028743.tif 000004
【図３】
2008028743.tif 000005
【図４】
2008028743.tif 000006
【図５】
2008028743.tif 000007
【図６】
2008028743.tif 000008
【図７】
2008028743.tif 000009